(57)【特許請求の範囲】
【請求項１】
係合部を有する電子機器と、
ロックキーを差込み可能なキー孔を有し、上記電子機器に接続可能な接続機器と、を備え、
上記接続機器は、上記電子機器と接続機器とを接続状態にロックするロック機構を備え、
上記ロック機構は、
上記電子機器の係合部に係合して上記電子機器を上記接続機器にロックするロック位置と、上記電子機器と接続機器とのロックを解除する解除位置と、の間を移動可能に設けられた第１ロック部材と、
上記第１ロック部材を上記ロック位置に付勢した付勢部材と、
外部から操作可能に設けられ、上記第１ロック部材をロック位置から解除位置に移動させるロック解除レバーと、
上記第１ロック部材のロック位置と解除位置との間の移動を許容する第１位置と、上記第１ロック部材を上記ロック位置にロックする第２位置との間を移動可能に設けられているとともに、上記ロックキーが上記キー孔に差し込まれた際、上記ロックキーにより押圧され上記第１位置から第２位置へ移動する第２ロック部材と、
上記第２ロック部材を上記第１位置に付勢し、上記ロックキーが上記キー孔に差し込まれていない状態において、上記第２ロック部材を上記第１位置に保持する付勢部材と、
を有していることを特徴とする電子機器システム。
【請求項２】
上記電子機器は、上記係合部が設けられた機器本体を備え、
上記接続機器は、上記機器本体が載置される載置部と、上記載置部から延出し上記載置された機器本体と対向する起立部と、を備え、
上記ロック機構は上記起立部内に設けられ、上記第１ロック部材は、上記ロック位置において上記起立部から突出し、上記載置部に載置された機器本体の係合部と係合するとともに、
上記ロックキーは、上記キー孔に差し込んでキー操作することにより、上記第２ロック部材を第２位置へ移動させて記第１ロック部材をロック位置にロックするとともに、上記接続機器に取り付けられることを特徴とする請求項１に記載の電子機器システム。
【請求項３】
上記ロック機構は、上記第１ロック部材および第２ロック部材を移動自在に支持しているとともに上記起立部に固定された支持部材を有していることを特徴とする請求項２に記載の電子機器システム。
【請求項４】
上記第１ロック部材は、上記起立壁と直交する方向に沿って移動可能に支持され、上記第２ロック部材は、上記起立壁と平行な方向に沿って移動可能に支持されていることを特徴とする請求項３に記載の電子機器システム。
【請求項５】
上記第２ロック部材を付勢した付勢部材は、上記支持部材と上記第２ロック部材との間に架設されていることを特徴とする請求項３又は４に記載の電子機器システム。
【請求項６】
上記第１ロック部材は、上記載置部と平行な方向に互いに離間して設けられているとともにそれぞれ上記ロック位置とロック解除位置との間を移動可能なロック爪を有し、
上記機器本体の係合部は、上記ロック爪と係合可能な係合凹所を有していることを特徴とする請求項２ないし５のいずれか１項に記載の電子機器システム。
【請求項７】
上記ロックキーは、キーシリンダと、上記キーシリンダに回転可能に設けられているとともに上記接続機器のキー孔に差込み可能なフックと、上記キーシリンダに挿入されて上記フックを回転させるキーと、上記キーシリンダに連結されたワイヤと、を備えていることを特徴とする請求項２ないし６のいずれか１項に記載の小型電子機器システム。
【発明の詳細な説明】
【０００１】
【発明の属する技術分野】
この発明は携帯型パーソナルコンピュータ等の小型電子機器と、この小型電子機器に装着可能な接続機器と、を備えた電子機器システムに関する。
【０００２】
【従来の技術】
近年、ノート型パーソナルコンピュータ、あるいは、いわゆるモバイルコンピュータと言われる携帯可能な小型のコンピュータが広く普及している。この種のコンピュータは、携帯性を高めるために機器本体の小型化が促められ、同時に、一層の性能の向上が求められている。
【０００３】
また、上述したパーソナルコンピュータの機能を一層拡張可能とするため、入力／出力アダプタ、ポートリプリケータ、拡張ステーション等の種々の接続機器が提供されている。この種の接続機器は、例えば、プリンタ、外部ディスプレイ、マウス等の外部電子機器を接続可能な複数のコネクタを備え、パーソナルコンピュータ側の機器本体の後端部に接続可能となっている。
【０００４】
一方、近年、パーソナルコンピュータの盗難が多く、これを防止するため、いわゆるケンジントンキーのようなロックキーをパーソナルコンピュータに取付け、コンピュータを机等に固定する方法が取られている。
【０００５】
パーソナルコンピュータに上記のような接続機器を装着して使用する場合、パーソナルコンピュータおよび接続機器の両方を盗難から防止する必要がある。そこで、このような場合には、パーソナルコンピュータおよび接続機器のそれぞれにロックキーを取り付ける方法や、あるいは、接続機器に設けられたロックレバー等を操作して、パーソナルコンピュータと接続機器とをロックした上で、パーソナルコンピュータにロックキーを取り付ける方法が取られている。
【０００６】
【発明が解決しようとする課題】
しかしながら、上記のようにパーソナルコンピュータおよび接続機器のそれぞれにロックキーを取り付ける場合、ロックキーが２個必要となり、操作が面倒であるとともに費用が掛かるという問題がある。
【０００７】
また、ロックレバー等を操作しながら、パーソナルコンピュータにロックキーを取り付ける場合、ロックレバー操作およびロックキー操作の２つが必要となり、操作が面倒となる。
【０００８】
この発明は上記問題点に鑑みなされたもので、その目的は、単一のロックキーにより、かつ、簡単な操作で電子機器および接続機器の盗難防止用のロックが可能な電子機器システムを提供することにある。
【０００９】
【課題を解決するための手段】
上記目的を達成するため、この発明に係る電子機器システムは、係合部を有する電子機器と、ロックキーを差込み可能なキー孔を有し、上記電子機器に接続可能な接続機器と、を備え、
上記接続機器は、上記電子機器と接続機器とを接続状態にロックするロック機構を備えている。
【００１０】
上記ロック機構は、
上記電子機器の係合部に係合して上記電子機器を上記接続機器にロックするロック位置と、上記電子機器と接続機器とのロックを解除する解除位置と、の間を移動可能に設けられた第１ロック部材と、
上記第１ロック部材を上記ロック位置に付勢した付勢部材と、
外部から操作可能に設けられ、上記第１ロック部材をロック位置から解除位置に移動させるロック解除レバーと、
上記第１ロック部材のロック位置と解除位置との間の移動を許容する第１位置と、上記第１ロック部材を上記ロック位置にロックする第２位置との間を移動可能に設けられているとともに、上記ロックキーが上記キー孔に差し込まれた際、上記ロックキーにより押圧され上記第１位置から第２位置へ移動する第２ロック部材と、
上記第２ロック部材を上記第１位置に付勢し、上記ロックキーが上記キー孔に差し込まれていない状態において、上記第２ロック部材を上記第１位置に保持する付勢部材と、を備えていることを特徴としている。
【００１１】
上記構成の電子機器システムによれば、接続機器に電子機器を接続すると、ロック機構の第１ロック部材が接続機器の係合部に係合し、接続機器に対して電子機器を自動的に仮ロックする。この状態で、接続機器のキー孔にロックキーを差し込んでキー操作すると、上記ロックキーによって第２ロック部材が押圧され、第２ロック部材は第２位置へ移動して第１ロック部材をロック位置にロックする。これにより、接続機器に対して電子機器が完全にロックされ、接続機器から切り放し不能となる。同時に、接続機器にロックキーが取り付けられ、電子機器および接続機器に盗難防止用のロックが掛けられる。
【００１２】
従って、１つのロックキーにより、ロック機構のロックと盗難防止ロックとを１回の操作によって行うことができる。
【００１３】
【発明の実施の形態】
以下、図面を参照してこの発明を実施の形態に係る電子機器システムについて詳細に説明する。
電子機器システムは、電子機器として携帯型のパーソナルコンピュータ７と、接続機器として入力／出力アダプタ８と、を備えている。図１ないし図３に示すように、パーソナルコンピュータ７は、偏平な矩形箱状の機器本体１０と、同じく偏平な矩形箱状のディスプレイユニット１２と、を備えている。機器本体１０は、上面の開口した矩形状箱状の下ケース１４と、ケースの上面開口を覆うようにケースに取り付けられたカバー１６と、により構成された筐体１８を備えている。また、機器本体１０は、カバー１６の上面に露出して設けられたキーボード２０を有している。
【００１４】
ディスプレイユニット１２は、カバー１６の後端部に設けられた一対のヒンジ部３０によって機器本体１０上に回動自在に取り付けられている。そして、ディスプレイユニット１２は、キーボード２０を露出する回動位置と、キーボード２０を覆い、機器本体１０とともに１つの箱状をなす閉塞位置との間に開閉自在となっている。
【００１５】
ディスプレイユニット１２の内面には、液晶表示パネル３２が露出した開口３４、電源スイッチ３５、リブポイント３６、ＬＥＤからなる表示部３８等が設けられている。また、ディスプレイユニット１２の外面には、リブポイント３６に対向して一対のクリックスイッチ４０が設けられている。
【００１６】
機器本体１０内には、それぞれＰＣカードを挿入可能な第１および第２カードスロット２２ａ、２２ｂが設けられ、これらカードスロットの挿入口は、機器本体の側壁に垂直方向に並んで設けられている。後壁１０ａの一端部下端には、機器本体１０の幅方向Ａに並んで第１および第２凹所２７ａ、２７ｂが形成され、それぞれ幅方向Ａに沿って延びている。また、機器本体１０内には、その後壁１０ａに隣接して、かつ、機器本体の幅方向Ａに並んで図示しない第１および第２イジェクトレバーが配設され、それぞれ第１および第２凹所２７ａ、２７ｂ内に突出した第１および第２係合突起２８ａ、２８ｂを有している。
【００１７】
そして、第１係合突起２８ａを介して第１イジェクトレバーを幅方向Ａに沿って矢印Ｂ方向へ押圧することにより、第１カードスロット２２ａ内に収納されているＰＣカードを押圧しイジェクトすることができる。同様に、第２係合突起２８ｂを介して第２イジェクトレバーを幅方向Ａに沿って矢印Ｂ方向へ押圧することにより、第２カードスロット２２ｂ内に収納されているＰＣカードを押圧しイジェクトすることができる。
【００１８】
図３に示すように、機器本体１０の後壁１０ａのほぼ中央部および他端部には、それぞれ係合部として機能するロック用の係合凹所４２が形成されているとともに、後壁１０ａの両端部には、それぞれロック用のねじ孔４３が形成されている。
【００１９】
一方、図３ないし図５に示すように、入力／出力アダプタ８は、偏平な矩形状の載置部４４と、載置部から垂直に起立した起立部４６と、を有し、ほぼＬ字状に形成されている。載置部４４の上面は、前方に傾斜しパーソナルコンピュータ７の機器本体後端部を載置可能な載置面４４ａを構成している。また、起立部４６は、載置面４４ａの後端から載置面に対して垂直に延出した起立壁４６ａと、起立壁の上端から載置面４４ａとほぼ平行に延びた上壁４４ｂと、上壁から下方に延出し起立壁とほぼ平行に対向した後壁４６ｃと、両側壁４６ｄ、４６ｅと、を有している。
【００２０】
図３において、載置面４４ａの左端部側には、パーソナルコンピュータ７の機器本体１０底面に設けられた図示しないコネクタと接続可能な主コネクタ４８が設けられている。
【００２１】
起立部４６内には、ロック機構５０およびカードイジェクト機構５２が設けられている。ロック機構５０は、主コネクタ４８の近傍において、起立壁４６ａから突出し機器本体１０の係合凹所４２とそれぞれ係合可能な一対のロック爪５４と、上壁４６ｂに設けられ、ロック爪５４を起立部４６内に移動させてロックを解除するロック解除レバー（操作レバー）５６と、を備えている。また、ロック機構５０に隣接した側壁４６ｄには、後述する盗難防止用のロックキー６２を差込可能なキー孔６４が形成されている。
【００２２】
カードイジェクト機構５２は、起立壁４６ａから突出しそれぞれ機器本体１０の第１および第２係合突起２８ａ、２８ｂと係合可能な第１および第２押圧突起８２、９２と、上壁４６ｂにそれぞれ露出し、第１および第２押圧突起を移動させるための第１および第２操作突部８８、９８と、を備えている。
【００２３】
また、起立部４６の後壁４６ｃには、プリンタ、外部ディスプレイ、外部キーボード、マウス等の外部機器をそれぞれ接続可能な複数の副コネクタ５８が設けられている。これらの副コネクタ５８は、主コネクタ４８に電気的に接続されている。更に、後壁４６ｃの両端部には、操作摘み６０ａを有するロックねじ６０がそれぞれ回転自在に設けられている。
【００２４】
パーソナルコンピュータ７の機器本体１０後端部が載置面４４ａ上に載置され入力／出力アダプタ８に装着されると、機器本体１０側のコネクタが主コネクタ４８に接続され、パーソナルコンピュータと入力／出力アダプタ８の複数の副コネクタ５８とが電気的に接続される。また、起立部４６の起立壁４６ａは機器本体１０の後壁１０ａと隣接対向して位置し、一対のロック爪５４は機器本体１０の係合凹所４２とそれぞれ係合して機器本体１０をロックする。この状態で、各ロックねじ６０の操作摘み６０ａを回し、ロックねじを機器本体のねじ孔４３にねじ込むことにより、パーソナルコンピュータ７を入力／出力アダプタ８に対して確実にロックすることができる。
【００２５】
また、カードイジェクト機構５２の第１および第２押圧突起８２、９２は、機器本体１０の第１および第２凹所２７ａ、２７ｂ内にそれぞれ侵入し、第１および第２係合突起２８ａ、２８ｂと対向する。この状態で、第１および第２操作突部８８、９８を摺動操作することにより、第１および第２押圧突起８２、９２、第１および第２係合突起２８ａ、２８ｂを介して、機器本体１０内の第１および第２イジェクトレバーを移動させ、第１および第２カードスロット２２ａ、２２ｂからＰＣカードをイジェクトすることができる。
【００２６】
次に、ロック機構５０について詳細に説明する。
図３、および図５ないし図８に示すように、ロック機構５０は、前述した一対のロック爪５４を一体に備えた第１ロック部材６６、この第１ロック部材をロックするための第２ロック部材６８、第１および第２ロック部材をそれぞれ摺動自在に支持した支持部材７０、およびロック解除レバー５６を有している。
【００２７】
支持部材７０は、起立部４６の長手方向、つまり、機器本体１０の幅方向Ａに沿って延びた板状に形成されているとともに、段付形状に形成されている。支持部材７０の上面中央部にはガイド溝７１が形成され起立壁４６ａと直交する方向、つまり、幅方向Ａと直交する方向に延びている。支持部材７０の長手方向両端部には、上方に突出した一対の保持部７２が形成されている。
【００２８】
第１ロック部材６６は、機器本体１０の幅方向Ａに沿って延び起立壁４６ａの内面と平行に対向した細長い板状の本体７３と、本体の中央部から後方に延出したガイド壁部７４と、を有している。そして、本体７３の長手方向に前述した一対のロック爪５４が一体に形成されているとともに、本体の一端部下端には、下方に突出した係止突起７５が設けられている。ガイド壁部７４の上面には、ロック解除レバー５６と係合する係合突起７６が突設されているとともに、下面には、図示しないガイド突起が突設されている。
【００２９】
そして、第１ロック部材６６は、ガイド壁部７４が支持部材７０の上面と一対の保持部７２との間に挟持された状態で、かつ、ガイド突起が支持部材のガイド溝７１に係合した状態で、支持部材７０に取付けされ、幅方向Ａと直交する矢印Ｃ方向に沿って往復動自在に支持されている。
【００３０】
第１ロック部材６６の本体７３と支持部材７０との間には一対の圧縮ばね７８が架設され、本体７３は起立部４６の起立壁４６ａに向かって付勢され後述するロック位置に保持されている。
【００３１】
また、第２ロック部材６８は、幅方向Ａに沿って延びた細長い金属板によって構成されている。第２ロック部材６８には、幅方向Ａに沿って互いに離間した一対のガイド孔８０が形成され、それぞれ幅方向Ａに延びている。そして、第２ロック部材６８は、支持部材７０の下面から突出した一対の係合突起８３をそれぞれガイド孔８０に挿通することにより、支持部材７０の下面に、幅方向Ａに沿って摺動自在に支持されている。
【００３２】
第２ロック部材６８は、第１ロック部材６６の本体８３に隣接対向した側縁６８ａを有し、この側縁には、本体８３の係止突起７５と対向可能な凹所８４、および規制突起８６が並んで形成されている。更に、第２ロック部材６８の長手方向一端、つまり、起立部４６の側壁４６ｄと対向する一端には、押圧部９０が折曲げ形成されている。そして、第２ロック部材６８と支持部材７０との間には引張りばね９１が架設され、第２ロック部材は、この引張りばねにより後述する第１位置に付勢されている。
【００３３】
一方、図６に示すように、入力／出力アダプタ８の起立部４６において、起立壁４６ａには、一対の開口９４が形成され、機器本体１０の幅方向Ａに沿って所定間隔離間して位置している。また、上壁４６ｂには凹所９６が形成され、この凹所の底壁には開口１００が形成されている。
【００３４】
そして、図３、図６、および図１０ａに示すように、上記構成のロック機構５０は、支持部材６８を上壁４６ｂ内面にねじ止め固定することにより、起立部４６内に保持されている。そして、第１ロック部材６６は起立壁６４ａ内面と対向しているとともに、一対のロック爪５４は、それぞれ開口９４と対向している。また、ロック解除レバー５６は、上方から凹所９６に嵌合され、開口１００を通して第１ロック部材６６の係合突起７６と係合している。そして、ロック解除レバー５６は、第１ロック部材６６とともに、起立壁４６ａと直交する方向に摺動可能となっている。
【００３５】
通常、第１ロック部材６６は圧縮ばね７８によって起立壁４６ａに向かって付勢され、ロック爪５４が開口９４を通して起立壁４６ａから突出するロック位置に保持されている。そして、図１０（ａ）、１０（ｂ）に示すように、パーソナルコンピュータ７の機器本体１０後端部が、上方から載置面４４ａ上に載置されると、ロック爪５４は機器本体１０の後壁１０ａに押圧され、圧縮ばね７８の付勢力に抗して、第１ロック部材６６と共に一旦後退位置に移動し、起立壁４６の内側に待避する。そして、機器本体１０の後端部が載置面４４ａ上に到達し係合凹所４２が押圧爪５４と対向した時点で、第１ロック部材６６は圧縮ばね７８に付勢されてロック位置に自動的に復帰する。それにより、一対のロック爪５４が、開口９４を通して機器本体１０の係合凹所４２にそれぞれ係合し、機器本体１０を入力／出力アダプタ８に対して仮ロックする。
【００３６】
機器本体１０のロックを解除する場合には、図１０（ｃ）に示すように、ロック解除レバー５６を後方にスライドさせ、第１ロック部材６６をロック位置からロック解除位置へ移動させる。すると、一対のロック爪５４が機器本体１０の係合凹所４２から外れ、起立壁４６ａ内に待避する。これにより、機器本体１０はロックが解除され入力／出力アダプタ８から取外し可能となる。
【００３７】
一方、ロック機構５０の第２ロック部材６８は、機器本体１０の幅方向Ａに沿って、図９（ａ）に示す第１位置と、図９（ｂ）に示す第２位置との間を摺動可能となっている。第１位置において、第２ロック部材６８の凹所８４が第１ロック部材６６の係止突起７５と対向し、かつ、規制突起８６が係止突起７５からずれて位置する。これにより、第１ロック部材６６は、第２ロック部材６８によって規制されることなく、ロック位置とロック解除位置との間を自由に移動可能となっている。また、第２ロック部材６８の押圧部９０は、起立部４６の側壁４６ｄに形成されたキー孔６４と隣接対向している。
【００３８】
第２位置において、第２ロック部材６８の規制突起８６は第１ロック部材６６の係止突起７５と対向し、かつ、凹所８４は係止突起７５からずれて位置している。また、第２ロック部材６８の側縁部６８ａの他端部は第１ロック部材６６の一方のロック爪５４と対向して位置している。従って、第１ロック部材６６は、第２ロック部材６８によってロック解除位置方向への移動が規制され、ロック位置にロックされる。
【００３９】
なお、通常、第２ロック部材６８は、引張りばね９１に付勢されて第１位置に保持されている。
【００４０】
図５に示すように、盗難防止用のロックキー６２は、キーシリンダ１０４と、キーシリンダに回転自在に取り付けられたフック１０６と、キーシリンダに引き抜き自在に装着されフック１０６を回転させるキー１０８と、を有している。フック１０６の延出端は、ほぼＴ字状に形成され、入力／出力アダプタ８のキー孔６４に差込可能となっている。また、キーシリンダ１０４にはワイヤ１１０が連結されている。
【００４１】
上記のように構成された小型電子機器システムにおいて、パーソナルコンピュータ７および入力／出力アダプタ８を盗難防止のためにロックする場合には、図５および図１１（ａ）に示すように、パーソナルコンピュータ７の機器本体１０後端部を入力／出力アダプタ８の載置面４４上に載置し、前述したように、ロック機構５０の第１ロック部材６６に設けられたロック爪５４により機器本体１０を入力／出力アダプタ８に対して仮ロックする。
【００４２】
続いて、ロックキー６２のフック１０６先端部を入力／出力アダプタ８のキー孔６４に合わせキーシリンダ１０４が側壁４６ｄに当接するまで差込み、この状態で、キー１０８によりフック１０６を約９０度回転する。図１１（ｂ）に示すように、フック１０６をキー孔６４に差し込むことにより、フック１０６は第２ロック部材６８の押圧部９０を押圧し、引張りばね９１の付勢力に抗して、第２ロック部材６８を第１位置から第２位置へ移動させる。また、フック１０６を回動することにより、フック１０６は、側壁４６ｄの内面に設けられた補強板１１２と係合し、キー孔６４に差し込まれた状態に固定される。
【００４３】
これにより、第２ロック部材６８は、ロックキー６２によって第２位置に切換えられた状態にロックされ、第１ロック部材６６をロック位置にロックする。従って、第１ロック部材６６をロック解除位置へ移動させることが不能となり、パーソナルコンピュータ７は入力／出力アダプタ８に対して完全にロックされ、取外し不能となる。同時に、キーシリンダ１０４は、入力／出力アダプタ８に取外し不能に連結される。
【００４４】
そして、ロックキー６２のワイヤ１１０を予め固定物に連結しておくことにより、パーソナルコンピュータ７および入力／出力アダプタ８は、ロックキー６２により盗難防止ロックされる。
【００４５】
なお、盗難防止ロックを解除する場合には、キー１０６によりフック１０６を回動した後、フック１０６を入力／出力アダプタ８のキー孔６４から引き抜くことにより、キーシリンダ１０４が入力／出力アダプタ８から取外され、同時に、第２ロック部材６８はロックが解除されて第１位置に自動的に復帰する。これにより、ロック解除レバー５６を操作して第１ロック部材によるパーソナルコンピュータ７のロックを解除可能となる。
【００４６】
以上のように構成された電子機器システムによれば、入力／出力アダプタ８のキー孔６４にロックキー５２のフック１０６を差し込んでキー操作することにより、ロック機構５０の第２ロック板６８を切換えて入力／出力アダプタに対しパーソナルコンピュータをロックすると同時に、入力／出力アダプタにロックキーを固定して入力／出力アダプタおよびパーソナルコンピュータの盗難防止ロックを行うことができる。
【００４７】
このように、上記の電子機器システムによれば、単一のロックキーにより、かつ、簡単なキー操作のみによりパーソナルコンピュータおよび入力／出力アダプタの盗難防止ロックを行うことができ、操作性の向上および費用の削減を図ることができる。
【００４８】
なお、この発明は上述した実施の形態に限定されることなく、この発明の範囲内で種々変形可能である。例えば、この発明の電子機器システムにおいて、接続機器は、入力／出力アダプタに限らず、ポートリプリケータ、拡張ステーション等の他の接続機器を用いてもよい。
【００４９】
【発明の効果】
以上詳述したように、この発明によれば、接続機器のキー孔にロックキーを差し込んでキー操作することのより、接続機器に対する電子機器のロックと、接続機器に対するロックキーの取付けとを同時に行うことができ、単一のロックキーにより、かつ、簡単な操作で電子機器および接続機器の盗難防止用ロックが可能な電子機器システムを提供することができる。
【００５０】
【図面の簡単な説明】
【００５１】
【図１】この発明の実施の形態に係る電子機器システムのパーソナルコンピュータを示す斜視図。
【００５２】
【図２】ディスプレイユニットを閉じた状態における上記パーソナルコンピュータの斜視図。
【００５３】
【図３】上記電子機器システムのパーソナルコンピュータの後端部および入力／出力アダプタを示す斜視図。
【００５４】
【図４】上記入力／出力アダプタにパーソナルコンピュータを装着した状態を示す斜視図。
【００５５】
【図５】上記入力／出力アダプタにパーソナルコンピュータを装着した状態を示す斜視図。
【００５６】
【図６】上記入力／出力アダプタからロック機構を取り外した状態を示す分解斜視図。
【００５７】
【図７】上記ロック機構の分解斜視図。
【００５８】
【図８】上記ロック機構の底面側を示す斜視図。
【００５９】
【図９】上記ロック機構における第２ロック部材の作動位置を示す平面図。
【００６０】
【図１０】上記ロック機構によるパーソナルコンピュータのロック動作を示す断面図。
【００６１】
【図１１】盗難防止用のロックキーの取付け動作を説明するための一部判断側面図。
【００６２】
【符号の説明】
７…パーソナルコンピュータ
８…入力／出力アダプタ
１０…機器本体
１０ａ…後壁
１２…ディスクプレイユニット
２０…キーボード
４２…係合凹所
４４…載置部
４６…起立部
４６ａ…起立壁
４６ｂ…上壁
５０…ロック機構
５４…ロック爪
５６…ロック解除レバー
６２…ロックキー
６４…キー孔
６６…第１ロック部材
６８…第２ロック部材
７０…支持部材
１０４…キーシリンダ
１０６…フック
１０８…キー
１１０…ワイヤ
【図１】
0003737622.tif 000002
【図２】
0003737622.tif 000003
【図３】
0003737622.tif 000004
【図４】
0003737622.tif 000005
【図５】
0003737622.tif 000006
【図６】
0003737622.tif 000007
【図７】
0003737622.tif 000008
【図８】
0003737622.tif 000009
【図９】
0003737622.tif 000010
【図１０】
0003737622.tif 000011
【図１１】
0003737622.tif 000012